(57)【要約】方法は、第１のアプリケーションに関連付けられた情報をタッチセンサ式ディスプレイ上に表示することと、タッチセンサ式ディスプレイ上でタッチを検出し、タッチ属性を決定することと、タッチ属性に基づいて、タッチが、第１のジェスチャタイプである場合を決定することと、タッチが第１のジェスチャタイプであると決定された場合、タッチに関連する情報を第２のアプリケーションに転送することと、そうでなければ、タッチに関連する情報を第１のアプリケーションに転送することとを含む。
2013529339.tif 000002
【特許請求の範囲】
【請求項１】
第１のアプリケーションに関連付けられた情報をタッチセンサ式ディスプレイ上に表示することと、
タッチセンサ式ディスプレイ上でタッチを検出し、タッチ属性を決定することと、
前記タッチ属性に基づいて、前記タッチが第１のジェスチャタイプである場合を決定することと、
前記タッチが前記第１のジェスチャタイプであると決定された場合、前記タッチに関連する情報を第２のアプリケーションに転送することと、そうでなければ、前記タッチに関連する情報を前記第１のアプリケーションに転送することと
を含む、方法。
【請求項２】
前記第１のジェスチャタイプは、メタナビゲーションジェスチャを含む、請求項１に記載の方法。
【請求項３】
前記決定することは、前記タッチが前記タッチセンサ式ディスプレイの境界を越える場合を決定することを含む、請求項１に記載の方法。
【請求項４】
前記境界は、前記タッチセンサ式ディスプレイのディスプレイエリアの周縁近傍に配置されている、請求項３に記載の方法。
【請求項５】
前記境界は、ディスプレイエリアと前記タッチセンサ式ディスプレイの非ディスプレイエリアとの間の境界を含む、請求項３に記載の方法。
【請求項６】
前記決定することは、前記タッチが検出される時のジェスチャスピードに基づいて、前記タッチがメタナビゲーションジェスチャであることを決定することを含む、請求項１に記載の方法。
【請求項７】
前記決定することは、前記タッチが検出される時のジェスチャ方向に基づいて、前記タッチがメタナビゲーションジェスチャであることを決定することを含む、請求項６に記載の方法。
【請求項８】
前記決定することは、前記タッチ属性に応答して、発見的アルゴリズムを利用して決定することを含む、請求項１に記載の方法。
【請求項９】
前記タッチ属性は、開始場所と、前記タッチの進行距離、スピード、および方向のうちの少なくとも１つとを含む、請求項１に記載の方法。
【請求項１０】
前記決定することは、開始場所が、前記タッチセンサ式ディスプレイのディスプレイエリア外である場合、前記タッチが、メタナビゲーションジェスチャであることを決定することを含む、請求項１に記載の方法。
【請求項１１】
前記決定することは、前記タッチが、前記ディスプレイエリアに進入することを決定することを含む、請求項１０に記載の方法。
【請求項１２】
前記決定することは、開始場所が、ディスプレイエリアおよび前記ディスプレイエリアに隣接するバッファエリアの外側にあり、かつ、前記タッチが、前記バッファエリアを通して前記前記タッチセンサ式ディスプレイのディスプレイエリアに進行する場合、前記タッチがメタナビゲーションジェスチャではないことを決定することを含む、請求項１に記載の方法。
【請求項１３】
前記決定することは、前記開始場所が前記バッファエリア内にある場合、前記タッチが、メタナビゲーションジェスチャであることを決定することを含む、請求項１２に記載の方法。
【請求項１４】
前記バッファエリアは、前記ディスプレイエリアの周囲に延在する、請求項１２に記載の方法。
【請求項１５】
前記タッチがメタナビゲーションジェスチャであると決定された場合、前記第２のアプリケーションに関連付けられた情報を前記タップセンサ式ディスプレイ上に表示することを含む、請求項１に記載の方法。
【請求項１６】
前記第２のアプリケーションに関連付けられた情報を表示することは、所定の時間の間、表示することを含む、請求項１５に記載の方法。
【請求項１７】
前記第２のアプリケーションに関連付けられた情報を表示することは、前記第１のアプリケーションに関連付けられた情報を表示することを中断することを含む、請求項１５に記載の方法。
【請求項１８】
前記第２のアプリケーションに関連付けられた情報を表示することは、前記第１のアプリケーションに関連付けられた情報にオーバーレイすることを含む、請求項１５に記載の方法。
【請求項１９】
前記情報を表示することは、システムレベルナビゲーションインターフェース、構成インターフェース、通知インターフェース、ステータスインターフェース、およびさらなるアプリケーションに関連付けられたインターフェースのうちの１つからの情報を表示することを含む、請求項１５に記載の方法。
【請求項２０】
前記タッチがメタナビゲーションジェスチャであると決定された場合、さらなるアプリケーションに関連付けられた情報を前記タッチセンサ式ディスプレイ上に表示することを含む、請求項１に記載の方法。
【請求項２１】
前記タッチを検出することは、前記タッチセンサ式ディスプレイ上で、時間内に重複する複数のタッチを検出し、各タッチに対してタッチ属性を決定することを含む、請求項１に記載の方法。
【請求項２２】
前記決定することは、前記タッチのうちの少なくとも１つが、境界の外側に原点を有し、かつ、前記境界を越える場合、前記複数のタッチがメタナビゲーションジェスチャを含むことを決定することを含む、請求項２１に記載の方法。
【請求項２３】
請求項１から２２のいずれかに記載の方法を実施するために、携帯用電子デバイスの少なくとも１つのプロセッサによって実行可能であるコンピュータ可読コードを有するコンピュータ可読媒体。
【請求項２４】
タッチセンサ式ディスプレイと、
メモリと、
前記タッチセンサ式ディスプレイおよび前記メモリに連結され、請求項１から２２のいずれかに記載の方法を実行するプロセッサと
を含む、電子デバイス。
【請求項２５】
前記タッチセンサ式ディスプレイは、
ディスプレイと、
前記ディスプレイのディスプレイエリアおよび非ディスプレイエリア上に配置されている少なくとも１つのタッチセンサ式入力デバイスと
を含む、請求項２４に記載の電子デバイス。
【請求項２６】
前記ディスプレイエリア上に配置されているタッチセンサの密度は、前記非ディスプレイエリア上に配置されているタッチセンサの密度と異なる、請求項２４に記載の電子デバイス。
【請求項２７】
前記メタナビゲーションジェスチャは、前記非ディスプレイエリアに関連付けられた開始場所を伴うジェスチャを含む、請求項２４に記載の電子デバイス。
【請求項２８】
前記タッチセンサ式ディスプレイに隣接するタッチセンサ式ベゼルを含む、請求項２４に記載の電子デバイス。
【請求項２９】
前記メタナビゲーションジェスチャは、前記タッチセンサ式ベゼル上に開始場所を伴うジェスチャを含む、請求項２８に記載の電子デバイス。
【発明の詳細な説明】
【技術分野】
【０００１】
本開示は、タッチセンサ式ディスプレイを有する携帯用電子デバイスを含むが、これに限定されない電子デバイスに関する。
【背景技術】
【０００２】
携帯用電子デバイスを含む電子デバイスは、幅広い用途を占めており、例えば、電話、電子メッセージング、および他の個人情報マネージャ（ＰＩＭ）アプリケーション機能を含む多様な機能を提供することができる。携帯用電子デバイスとして、ワイヤレスネットワーク通信またはＢｌｕｅｔｏｏｔｈ（登録商標）対応機能等の近距離通信接続を伴う単純な携帯電話、スマートフォン、携帯端末（ＰＤＡ）、タブレットコンピュータ、およびラップトップコンピュータ等の移動局を含むいくつかのタイプのデバイスが挙げられる。
【０００３】
ＰＤＡまたはタブレットコンピュータ等の携帯用電子デバイスは、概して、手持ち使用および携帯の容易さを目的とする。携帯性のために、より小型のデバイスが、概して、所望される。タッチセンサ式ディスプレイは、タッチスクリーンディスプレイとも呼ばれるが、小型で、ユーザ入力および出力のための限定されたスペースを有するハンドヘルドデバイス上で特に有用である。タッチセンサ式ディスプレイ上に表示される情報は、実施されている機能および操作に応じて、変更され得る。
【０００４】
タッチセンサ式ディスプレイを伴うデバイスにおける改良が所望される。
【発明の概要】
【課題を解決するための手段】
【０００５】
一側面によると、方法は、第１のアプリケーションに関連付けられた情報をタッチセンサ式ディスプレイ上に表示することと、タッチセンサ式ディスプレイ上でタッチを検出し、タッチ属性を決定することと、タッチ属性に基づいて、タッチが、第１のジェスチャタイプである場合を決定することと、タッチが、第１のジェスチャタイプであると決定された場合、タッチに関連する情報を第２のアプリケーションに転送することと、そうでなければ、タッチに関連する情報を第１のアプリケーションに転送することとを含む。
【０００６】
別の側面によると、電子デバイスは、タッチセンサ式ディスプレイと、メモリと、タッチセンサ式ディスプレイおよびメモリに連結され、前述の方法を実行するためのプロセッサとを含む。
【０００７】
次に、本開示の実施形態が、単なる一例として、添付の図面を参照して、説明される。
【図面の簡単な説明】
【０００８】
【図１】図１は、例示的実施形態による、携帯用電子デバイスのブロック図である。
【図２】図２は、携帯用電子デバイスの実施例の正面図である。
【図３】図３は、図２の携帯用電子デバイス上でのタッチの実施例を例証する。
【図４】図４は、本開示による、携帯用電子デバイスを制御する方法を例証する、流れ図である。
【図５】図５は、メタナビゲーションジェスチャとアプリケーションからの情報との間の関連付けの実施例を例証する。
【発明を実施するための形態】
【０００９】
以下は、第１のアプリケーションに関連付けられた情報をタッチセンサ式ディスプレイ上に表示することと、タッチセンサ式ディスプレイ上でタッチを検出し、タッチ属性を決定することと、タッチ属性に基づいて、タッチが、第１のジェスチャタイプである場合を決定することと、タッチが、第１のジェスチャタイプであると決定された場合、タッチに関連する情報を第２のアプリケーションに転送することと、そうでなければ、タッチに関連する情報を第１のアプリケーションに転送することとを含む電子デバイスおよび方法を説明する。
【００１０】
説明の簡易性および明確性のために、図中では、対応または同類の要素を示すために参照番号が繰り返される場合がある。本明細書に説明される実施形態の理解を実現するために、多数の詳細が記載される。実施形態は、これらの詳細なく実践され得る。他の事例において、周知の方法、手順、および構成要素は、説明される実施形態の不明瞭化を回避するために詳細に説明されない。説明は、本明細書に説明される実施形態の範囲を制限すると見なされてはならない。
【００１１】
本開示は、概して、携帯用電子デバイス等の電子デバイスに関する。携帯用電子デバイスの実施例として、ポケットベル、携帯電話、スマートフォン、ワイヤレスオーガナイザ、ＰＤＡ、ノートブックコンピュータ、ネットブックコンピュータ、タブレットコンピュータ等が挙げられる。携帯用電子デバイスはまた、無線通信能力を伴わない、携帯用電子デバイスであり得る。実施例として、ハンドヘルド電子ゲームデバイス、デジタル写真アルバム、デジタルカメラ、ノートブックコンピュータ、ネットブックコンピュータ、タブレットコンピュータ、または他のデバイスが挙げられる。
【００１２】
携帯用電子デバイス１００の実施例のブロック図が、図１に示される。携帯用電子デバイス１００は、携帯用電子デバイス１００の全体的動作を制御するプロセッサ１０２等の複数の構成要素を含む。説明される本携帯用電子デバイス１００は、随意に、通信サブシステム１０４および短距離通信１３２モジュールを含み、データおよび音声通信を含む種々の通信機能を実施する。携帯用電子デバイス１００によって受信されるデータは、デコーダ１０６によって解凍され、解読される。通信サブシステム１０４は、ワイヤレスネットワーク１５０からメッセージを受信し、ワイヤレスネットワーク１５０へメッセージを送信する。ワイヤレスネットワーク１５０は、データワイヤレスネットワーク、音声ワイヤレスネットワーク、ならびに音声およびデータ両方の通信をサポートするネットワークを含むが、これらに限定されない、任意のタイプのワイヤレスネットワークであり得る。１つ以上の充電池または外部電源へのポート等の電源１４２は、携帯用電子デバイス１００に電力を供給する。
【００１３】
プロセッサ１０２は、ランダムアクセスメモリ（ＲＡＭ）１０８、メモリ１１０、電子コントローラ１１６に動作可能に接続されるタッチセンサ式オーバーレイ１１４を備えているディスプレイ１１２（それらは、一緒に、タッチセンサ式ディスプレイ１１８を成す）、１つ以上のアクチュエータ１２０、１つ以上の力センサ１２２、補助入力／出力（Ｉ／Ｏ）サブシステム１２４、データポート１２６、スピーカ１２８、マイク１３０、短距離通信１３２、および他のデバイスサブシステム１３４等の他の構成要素と相互作用する。グラフィックユーザインターフェースとのユーザ相互作用は、タッチセンサ式オーバーレイ１１４を介して実施される。プロセッサ１０２は、電子コントローラ１１６を介して、タッチセンサ式オーバーレイ１１４と相互作用する。携帯用電子デバイス上で表示またはレンダリングされ得る、テキスト、文字、シンボル、画像、アイコン、および他の項目等の情報は、プロセッサ１０２を介して、タッチセンサ式ディスプレイ１１８上に表示される。プロセッサ１０２は、加速度計１３６等の配向センサと相互作用し、例えば、携帯用電子デバイス１００の配向を決定するために、重力または重力誘導反力の方向を検出し得る。
【００１４】
ネットワークアクセスのための加入者を識別するために、携帯用電子デバイス１００は、ワイヤレスネットワーク１５０等のネットワークと通信するための加入者識別モジュールまたは可撤性利用者識別モジュール（ＳＩＭ／ＲＵＩＭ）カード１３８を使用する。代替として、利用者識別情報は、メモリ１１０内にプログラムされ得る。
【００１５】
携帯用電子デバイス１００は、プロセッサ１０２によって実行され、典型的には、メモリ１１０等の永続的更新可能記憶に記憶される、オペレーティングシステム１４６およびソフトウェアプログラムまたは構成要素１４８を含む。さらなるアプリケーションまたはプログラムが、ワイヤレスネットワーク１５０、補助Ｉ／Ｏサブシステム１２４、データポート１２６、短距離通信サブシステム１３２、または任意の他の好適なサブシステム１３４を介して、携帯用電子デバイス１００にロードされ得る。
【００１６】
テキストメッセージ、電子メールメッセージ、またはウェブページダウンロード等の受信信号は、通信サブシステム１０４によって処理され、プロセッサ１０２へ入力される。プロセッサ１０２は、ディスプレイ１１２および／または補助Ｉ／Ｏサブシステム１２４へ出力するために、受信信号を処理する。加入者は、データ項目、例えば、電子メールメッセージを生成することができ、データ項目は、通信サブシステム１０４を介してワイヤレスネットワーク１５０を経て伝送され得る。
【００１７】
タッチセンサ式ディスプレイ１１８は、当分野において周知の、容量性、抵抗性、赤外線、弾性表面波（ＳＡＷ）タッチセンサ式ディスプレイ、歪みゲージ、光学撮像、分散信号技術、音響パルス認識等の任意の好適なタッチセンサ式ディスプレイであり得る。説明される本例示的実施形態では、タッチセンサ式ディスプレイ１１８は、容量性タッチセンサ式オーバーレイ１１４を含む、容量性タッチセンサ式ディスプレイである。オーバーレイ１１４は、例えば、基板、接地シールド層、バリア層、基板または他のバリアによって分離される１つ以上の容量性タッチセンサ層、およびカバーを含む、スタック内の複数層のアセンブリであり得る。容量性タッチセンサ層は、パターン化された酸化インジウム錫（ＩＴＯ）等の任意の好適な材料であり得る。
【００１８】
タッチセンサ式ディスプレイ１１８のディスプレイ１１２は、情報が表示され得る、ディスプレイエリアと、ディスプレイエリアの周縁の周囲に延在する、非ディスプレイエリアとを含む。情報は、例えば、電子トレースまたは電気接続、接着剤または他の封止剤、および／またはディスプレイエリアの縁周囲の保護コーティングを収容するために利用される、非ディスプレイエリアには表示されない。
【００１９】
１つ以上のタッチは、タッチ接触またはタッチイベントとも呼ばれるが、タッチセンサ式ディスプレイ１１８によって検出され得る。プロセッサ１０２は、タッチの場所を含む、タッチの属性を決定し得る。タッチ場所データは、接触のエリア、あるいは重心として知られる、接触のエリアの中心または近接の点等の接触の単一点を含み得る。タッチの検出に応答して、信号がコントローラ１１６に提供される。タッチセンサ式ディスプレイ１１８の性質に応じて、指、親指、付属器、あるいは他の項目、例えば、スタイラス、ペン、または他のポインタ等の任意の好適な物体からのタッチが検出され得る。タッチの場所は、タッチの間、検出された物体が移動するのに伴って、移動する。コントローラ１１６および／またはプロセッサ１０２は、タッチセンサ式ディスプレイ１１８上の任意の好適な接触部材によって、タッチを検出し得る。同様に、複数の同時タッチが、検出される。
【００２０】
１つ以上のジェスチャもまた、タッチセンサ式ディスプレイ１１８によって検出される。ジェスチャは、原点から開始し、終点まで継続する、タッチセンサ式ディスプレイ１１８上の特定のタイプのタッチである。ジェスチャは、例えば、原点、終点、進行距離、持続時間、速度、および方向を含む、ジェスチャの属性によって識別され得る。ジェスチャは、距離および／または持続時間において長くても短くてもよい。ジェスチャの２点を利用して、ジェスチャの方向を決定し得る。
【００２１】
ジェスチャの実施例は、スワイプ（また、フリックとしても知られる）である。スワイプは、単一方向を有する。タッチセンサ式オーバーレイ１１４は、ジェスチャの持続時間にわたっての接触の場所または点の各々を使用して、方向を決定するのではなく、接触が、最初に、タッチセンサ式オーバーレイ１１４と行われた原点と、タッチセンサ式オーバーレイ１１４との接触が終了する、終点に対して、スワイプを評価し得る。
【００２２】
スワイプの実施例としては、水平スワイプ、垂直スワイプ、および対角線スワイプを含む。水平スワイプは、典型的には、タッチセンサ式オーバーレイ１１４の左または右側に向かって、原点を備え、ジェスチャを開始し、タッチセンサ式オーバーレイ１１４との連続的接触およびタッチセンサ式オーバーレイ１１４との接触の断続を維持しながらのタッチセンサ式オーバーレイ１１４の右または左側に向かっての原点から終点までの検出された物体の水平移動である。同様に、垂直スワイプは、典型的には、タッチセンサ式オーバーレイ１１４の上部または下部に向かっての原点を備え、ジェスチャを開始し、タッチセンサ式オーバーレイ１１４との連続的接触およびタッチセンサ式オーバーレイ１１４との接触の断続を維持しながらのタッチセンサ式オーバーレイ１１４の下部または上部に向かっての原点から終点への検出された物体の垂直移動である。
【００２３】
スワイプは、種々の長さであることができ、タッチセンサ式オーバーレイ１１４上の種々の場所から開始することができ、タッチセンサ式オーバーレイ１１４の全寸法に及ぶ必要はない。加えて、スワイプの断続接触は、スワイプが、依然として、進行中である間、タッチセンサ式オーバーレイ１１４との接触が、徐々に減少されるという点において、段階的であり得る。
【００２４】
メタナビゲーションジェスチャも、タッチセンサ式オーバーレイ１１４によって、検出され得る。メタナビゲーションジェスチャは、タッチセンサ式オーバーレイ１１４のディスプレイエリア外にある原点を有し、タッチセンサ式ディスプレイのディスプレイエリア上の位置へと移動するジェスチャである。ジェスチャの他の属性が、検出され、メタナビゲーションジェスチャを検出するために利用され得る。メタナビゲーションジェスチャは、ジェスチャが、時間内に、同時または重複し、タッチのうちの少なくとも１つが、ディスプレイエリア外にある原点を有し、タッチセンサ式オーバーレイ１１４のディスプレイエリア上の位置へ移動する多重タッチジェスチャも含み得る。したがって、２本の指が、メタナビゲーションジェスチャのためい利用され得る。さらに、多重タッチメタナビゲーションジェスチャは、単一タッチメタナビゲーションジェスチャと区別されてもよく、追加のまたはさらなる機能性を提供し得る。
【００２５】
いくつかの例示的実施形態では、随意の力センサ１２２または複数の力センサが、任意の好適な場所、例えば、タッチセンサ式ディスプレイ１１８と携帯用電子デバイス１００の裏側との間に配置され、タッチセンサ式ディスプレイ１１８上のタップによって付与される力を検出する。力センサ１２２は、力センサ式抵抗器、歪みゲージ、圧電またはピエゾ抵抗デバイス、圧力センサ、あるいは他の好適なデバイスであり得る。明細書を通して利用される力とは、圧力、変形、応力、歪み、力密度、力−エリア関係、推力、トルク、および力または関連数量を含む、他の影響等、力の測定、予測、および／または計算を指す。
【００２６】
検出されたタッチに関連する力情報は、タッチの場所に関連付けられた情報等の情報を選択するために利用され得る。例えば、力閾値に満たないタッチは、選択オプションをハイライトし得る一方、力閾値を満たすタッチは、選択オプションの選択またはその入力であり得る。選択オプションとして、例えば、キーボードの表示または仮想キー、選択ボックスまたはウィンドウ、例えば、「キャンセル」、「削除」、または「ロック解除」、機能ボタン、例えば、音楽プレーヤ上の再生または停止等が挙げられる。異なる力の大きさは、異なる機能または入力に関連付けられ得る。例えば、より小さい力は、パニングをもたらしてもよく、より大きな力は、ズームをもたらし得る。
【００２７】
携帯用電子デバイス１００の実施例の正面図は、図２に示される。携帯用電子デバイス１００は、図１に示されるような構成要素を封入する、筐体２０２を含む。筐体２０２は、タッチセンサ式ディスプレイ１１８を構成する、背面、側壁、および正面２０４を含み得る。
【００２８】
図２の示される実施例では、タッチセンサ式ディスプレイ１１８は、概して、タッチセンサ式オーバーレイ１１４のディスプレイエリア２０６が、概して、筐体２０２の正面２０４に対して、中心となるように、筐体２０２の中心に置かれる。タッチセンサ式オーバーレイ１１４の非ディスプレイエリア２０８は、ディスプレイエリア２０６の周囲に延在する。説明される本実施形態では、非ディスプレイエリアの幅は、４ｍｍである。
【００２９】
本実施例の目的のために、タッチセンサ式オーバーレイ１１４は、ディスプレイエリア２０６および非ディスプレイエリア２０８を被覆するように延在する。ディスプレイエリア２０６上のタッチが、検出され、例えば、表示された選択可能特徴に関連付けられ得る。非ディスプレイエリア２０８上のタッチは、例えば、メタナビゲーションジェスチャを検出するために、検出され得る。代替として、メタナビゲーションジェスチャは、非ディスプレイエリア２０８およびディスプレイエリア２０６の両方によって、決定され得る。タッチセンサの密度は、ディスプレイエリア２０６と非ディスプレイエリア２０８で異なり得る。例えば、相互容量性タッチセンサ式ディスプレイ内のノードの密度、すなわち、１つ層の電極が、別の層の電極を乗り越える、場所の密度は、ディスプレイエリア２０６と非ディスプレイエリア２０８との間で異なり得る。
【００３０】
タッチセンサ式ディスプレイ１１８上で受信されたジェスチャは、属性に基づいて分析され、メタナビゲーションジェスチャと、他のタッチまたは非メタナビゲーションジェスチャとを区別し得る。メタナビゲーションジェスチャは、ジェスチャが、ディスプレイエリア２０６と非ディスプレイエリア２０８との間の境界２１０等、ディスプレイ１１２の周縁近傍の境界を乗り越えると、識別され得る。図２の実施例では、メタナビゲーションジェスチャの原点が、非ディスプレイエリア２０８を被覆する、タッチセンサ式オーバーレイ１１４のエリアを利用して、決定され得る。
【００３１】
ディスプレイエリア２０６と非ディスプレイエリア２０８との間で境界２１０の周囲に延在する、バッファ領域２１２または帯域は、タッチが、境界２１０およびバッファ領域２１２外に原点を有し、バッファ領域２１２を通って、境界２１０内の点へと、境界２１０を乗り越えると、メタナビゲーションジェスチャが識別されるように利用され得る。図２に例証されるが、バッファ領域２１２は、可視でなくてもよい。代わりに、バッファ領域２１２は、例えば、所定の数の画素に匹敵する幅に延在する、境界２１０の周囲の領域であり得る。代替として、境界２１０は、所定の数のタッチセンサに延在し得るか、またはディスプレイエリア２０６から所定の距離だけ延在し得る。境界２１０は、タッチセンサ式領域であり得るか、またはタッチが検出されない領域であり得る。
【００３２】
例えば、バッファ領域２１２内に原点を有するジェスチャは、非メタナビゲーションジェスチャとして識別され得る。随意に、そのようなジェスチャからのデータは、アプリケーションによって、非メタナビゲーションジェスチャとして、利用され得る。代替として、そのようなジェスチャからのデータは、バッファ領域２１２上に原点を有するタッチが、携帯用電子デバイス１００における入力として利用されないように、破棄され得る。
【００３３】
図３は、タッチセンサ式ディスプレイ１１８上のタッチの実施例を例証する。バッファ領域２１２は、説明の目的のために、ハッシュマークによって、図３に例証される。示されるように、バッファ領域２１２は、ユーザに可視でなくてもよい。説明の目的のために、タッチは、その原点において、円形によって例証される。円形から延在する矢印は、ジェスチャであるタッチの経路を例証する。
【００３４】
タッチ３０２は、境界２１０外およびバッファ領域２１２外の原点から開始する。タッチ３０２の経路は、バッファ領域２１２および境界２１０を越え、したがって、メタナビゲーションジェスチャとして識別される。同様に、タッチ３０４、３０６、３０８、３１０、３１２、３１４、３１６は各々、境界２１０およびバッファ領域２１２外に原点を有し、その経路は、バッファ領域２１２および境界２１０を越える。したがって、タッチ３０４、３０６、３０８、３１０、３１２、３１４、３１６は各々、メタナビゲーションジェスチャとして識別される。しかしながら、タッチ３１８は、バッファ領域２１２内にある原点を有し、したがって、タッチ３１８は、メタナビゲーションジェスチャとして識別されない。タッチ３２０は、境界２１０およびバッファ領域２１２外の原点から開始する。しかしながら、タッチ３２０の経路は、境界２１０を越えておらず、したがって、メタナビゲーションジェスチャとして識別されない。タッチ３２２はまた、境界２１０およびバッファ領域２１２外の原点を有するが、ジェスチャではなく、したがって、境界２１０を越えず、メタナビゲーションジェスチャとして識別されない。
【００３５】
携帯用電子デバイス１００等の電子デバイスを制御する方法を例証する、流れ図が、図４に示される。本方法は、例えば、プロセッサ１０２によって実行されるコンピュータ可読コードによって実行され得る。このような方法を実行するためのソフトウェアのコーディングは、本説明を前提として当業者の範囲内である。本方法は、追加のプロセス、あるいは図示および／または説明されるものより少ないプロセスを含み得、異なる順番で実施され得る。本方法を実施するための携帯用電子デバイスの少なくとも１つのプロセッサによって実行可能であるコンピュータ可読コードは、持続性コンピュータ可読媒体等のコンピュータ可読媒体内に記憶され得る。
【００３６】
プロセスは、ホーム画面アプリケーション、電子メールアプリケーション、テキストメッセージングアプリケーション、カレンダアプリケーション、タスクアプリケーション、アドレスブックアプリケーション、ウェブブラウザアプリケーション、または任意の他の好適なアプリケーション等、任意の好適なアプリケーションにおいて実行され得る。第１のアプリケーションと称されるアプリケーションからの情報は、４０２において、携帯用電子デバイス１００のタッチセンサ式ディスプレイ１１８上に表示される。タッチが、４０４において、検出されると、プロセスは、４０６において、継続し、タッチが、メタナビゲーションジェスチャであるかどうかの決定が行われる。前述のように、タッチの属性に基づいて、決定が行われる。４０８では、タッチが、タッチセンサ式ディスプレイ１１８上のタップ、または非メタナビゲーションジェスチャであり得、タッチが、メタナビゲーションジェスチャではないことの決定に応答して、タッチデータは、ジェスチャが受信された時点で、情報がタッチセンサ式ディスプレイ１１８上に表示されている第１のアプリケーションと関連して利用される。４０６において、メタナビゲーションジェスチャとして、タッチを識別することに応答して、タッチデータは、第２のアプリケーションにおいて利用され、第２またはさらなるアプリケーションに関連付けられた情報が、４１０において、タッチセンサ式ディスプレイ１１８上に表示される。第２のアプリケーションに関連付けられた情報は、第１のアプリケーションに関連付けられた情報の上にオーバーレイされ、例えば、第１のアプリケーションに関連付けられた情報にナビゲーションを戻すのを容易にし得る。代替として、第２のアプリケーションに関連付けられた情報は、例えば、システムレベルナビゲーションインターフェース、構成インターフェース、通知インターフェース、ステータスインターフェース、メニューインターフェースからの情報、または任意の他のインターフェースに関連付けられた情報を含み得る。
【００３７】
再び、図３を参照すると、メタナビゲーションジェスチャとして識別されたタッチ３０２、３０４、３０６、３０８、３１０、３１２、３１４、３１６は各々、メタナビゲーションジェスチャが、どののアプリケーションに関連付けられているかを決定するために、原点等のメタナビゲーションジェスチャの属性が、利用され得るように、アプリケーションからの情報に関連付けられ得る。図５は、メタナビゲーションジェスチャと、ジェスチャが受信された時点でタッチセンサ式ディスプレイ１１８上に表示されている情報に関連付けられたアプリケーション以外のアプリケーションからの情報との間の関連付けの実施例を例証する。図５に示される関係は、例証的目的のためだけに示され、互換可能である。さらなるアプリケーションおよび代替関連付けが、利用され得る。さらなるアプリケーションおよび代替関連付けが、利用され得る。用語「上部」、「下部」、「右」、および「左」は、本明細書では、基準を提供する目的のために利用され、アプリケーションに関連付けられた情報が表示される配向に対する、携帯用電子デバイス１００のエリアを指す。
【００３８】
タッチセンサ式ディスプレイ１１８の下部中心近傍から生じ、現在のアプリケーション５０２からの情報が表示される方向に略垂直経路を辿るメタナビゲーションジェスチャ３０２は、ルートナビゲーションアプリケーション５１０に関連付けられたホーム画面を現在のアプリケーション５０２に関連付けられた情報に置き換えさせる。ホーム画面は、ディスプレイの上部に示される、現在アクティブなアプリケーションを示す、カルーセルを含む。故に、現在アクティブなアプリケーションは、ホーム画面の上部におけるブラウズ可能なカルーセルに示される。カルーセルは、ホーム画面の上部に位置する。本実施例では、上部は、ホーム画面の約１／３のみ利用し、非アクティブアプリケーションのためのアプリケーションアイコンは、選択の容易性のために、ホーム画面の下部に提供される。
【００３９】
タッチセンサ式ディスプレイ１１８の左中心近傍から生じ、略側方経路を辿る、メタナビゲーションジェスチャ３０４は、現在のアプリケーション５０２に関連付けられた情報を、グループ化内の以前のアプリケーションであり得るか、または以前に表示された情報に関連付けられたアプリケーションであり得る、以前のアプリケーション５０６に関連付けられた情報に置き換える。タッチセンサ式ディスプレイ１１８の右中心近傍から生じ、略側方経路を辿る、メタナビゲーションジェスチャ３０６は、現在のアプリケーション５０２に関連付けられた情報を、グループ化内の次のアプリケーションであり得る、次のアプリケーション５０８に関連付けられた情報に置き換える。
【００４０】
タッチセンサ式ディスプレイ１１８の左側または右からのいずれかからの側方ジェスチャは、現在のアプリケーション５０２に関連付けられた情報のサイズを縮小させ、情報を以前のアプリケーション５０６または次のアプリケーション５０８と置き換える前に、他のアクティブアプリケーションの視覚的合図を提供し得る。例えば、以前のアプリケーション５０６の情報の一部が、ジェスチャの間および現在のアプリケーション５０２に関連付けられた情報の置き換え前に、ディスプレイエリア２０６の縁または複数の縁に隣接する薄片内に表示され得る。現在のアプリケーション５０２に関連付けられた情報は、ジェスチャが継続するのに伴って、以前のまたは次のアプリケーション５０８と置き換えられ得る。代替実施例では、以前のアプリケーション５０６の情報の一部または次のアプリケーション５０８のための情報の一部が、第１の側方ジェスチャの受信に応答して、ディスプレイエリア２０６の縁に隣接する薄片内に表示され得る。本実施例では、薄片内のスワイプは、リスト内の次のおよび最後のアプリケーションのスクロールを生じさせ得る。ジェスチャ３０４、３０６等の第２の側方メタナビゲーションジェスチャは、情報のサイズが縮小された現在のアプリケーション５０２に関連付けられた情報が置き換えられるようにするために利用され得る。
【００４１】
タッチセンサ式ディスプレイ１１８の上部中心近傍から生じ、略垂直経路を辿るメタナビゲーションジェスチャ３０８は、現在のアプリケーション５０２に関連付けられた情報がアプリケーション設定アプリケーション５０４に関連付けられた情報と置き換えられるようにする。
【００４２】
タッチセンサ式ディスプレイ１１８の上部左角近傍から生じる、メタナビゲーションジェスチャ３１０は、通知アプリケーション５１２に関連付けられた情報を現在のアプリケーション５０２に関連付けられた情報上にタイル表示させる。同様に、タッチセンサ式ディスプレイ１１８の上部右角近傍から生じる、メタナビゲーションジェスチャ３１２は、通知アプリケーション５１２に関連付けられた情報を現在のアプリケーション５０２に関連付けられた情報上にタイル表示させる。
【００４３】
タッチセンサ式ディスプレイ１１８の下部左角近傍から生じる、メタナビゲーションジェスチャ３１４は、ステータスアプリケーション５１４に関連付けられた情報を現在のアプリケーション５０２に関連付けられた情報上にタイル表示させる。同様に、タッチセンサ式ディスプレイ１１８の下部右角近傍から生じる、メタナビゲーションジェスチャ３１６は、ステータスアプリケーション５１４に関連付けられた情報を現在のアプリケーション５０２に関連付けられた情報上にタイル表示させる。
【００４４】
本開示は、非ディスプレイエリアにわたって延在するタッチセンサ式オーバーレイを利用して、メタナビゲーションジェスチャを識別することに限定されない。メタナビゲーションジェスチャは、例えば、表示可能エリアの余白にあり得る、タッチセンサ式オーバーレイの余白における、第１の検出されたタッチ場所に基づいて、随意に、タッチが検出される時のジェスチャスピードまたは方向、あるいは経路ジェスチャによって横断される経路に基づいて、検出され得る。メタナビゲーションジェスチャの識別はまた、タッチ属性に基づく、発見的アルゴリズムを利用して実行され、ジェスチャの原点、スピード、方向、距離、および経路のうちの１つ以上等のタッチ属性に応答し得る。
【００４５】
随意に、電子デバイスは、タッチセンサ式オーバーレイを囲む筐体またはタッチセンサ式ベゼルのタッチセンサ式フレームを含み得る。メタナビゲーションジェスチャは、タッチセンサ式フレームまたはベゼル上で検出された原点に基づいて、識別され得る。
【００４６】
さらに、メタナビゲーションジェスチャによって越えられる境界は、タッチセンサ式ディスプレイのディスプレイエリアと非ディスプレイエリアとの間の境界に限定されない。他の好適な境界が利用され得、タッチセンサ式オーバーレイの余白に沿った領域または帯域、タッチセンサ式ディスプレイ１１８上の所定のラインまたは複数のライン、あるいは電子デバイスのベゼルまたはフレームが、タッチセンサ式ディスプレイと出合う境界を含み得る。
【００４７】
したがって、メタナビゲーションジェスチャの識別は、ディスプレイの非ディスプレイエリアを被覆するタッチセンサ式オーバーレイを含むタッチセンサ式ディスプレイを伴う、電子デバイスに限定されない。メタナビゲーションジェスチャの識別は、他の電子デバイスを利用して実行され得る。
【００４８】
メタナビゲーションジェスチャの使用およびそのようなジェスチャの識別は、非メタナビゲーションジェスチャまたは他のタッチと区別され得る、さらなる入力を提供する。これらのメタナビゲーションジェスチャは、ジェスチャが受信された時点で情報が表示されていないアプリケーションに関連する入力のエントリを容易にする。したがって、入力は、タッチセンサ式ディスプレイ上に表示される、アイコンまたは選択可能特徴を使用せずに、かつ物理的ボタンまたはスイッチ等の電子デバイス上の他の制御を使用する必要なく、タッチセンサ式ディスプレイ上に表示されている情報に関連付けられていないアプリケーションに関連して、受信され得る。タッチセンサ式ディスプレイのエリアまたは複数のエリアは、そのようなアイコンまたは選択可能特徴を表示されるために占有されない。したがって、システムレベルナビゲーションが、そのようなナビゲーションのための追加の画面またはメニューを使用せずに提供され、改良されたインターフェースを提供する。
【００４９】
一側面によると、方法は、第１のアプリケーションに関連付けられた情報をタッチセンサ式ディスプレイ上に表示することと、タッチセンサ式ディスプレイ上でタッチを検出し、タッチ属性を決定することと、タッチ属性に基づいて、タッチが、第１のジェスチャタイプである場合を決定することと、タッチが、第１のジェスチャタイプであると決定された場合、タッチに関連する情報を第２のアプリケーションに転送することと、そうでなければ、タッチに関連する情報を第１のアプリケーションに転送することとを含む。
【００５０】
別の側面によると、電子デバイスは、タッチセンサ式ディスプレイと、メモリと、タッチセンサ式ディスプレイおよびメモリに連結され、前述の方法を実行するためのプロセッサとを含む。
【００５１】
本開示は、その精神または重要な特徴から逸脱することなく、他の特定の形式において具現化され得る。説明される実施形態は、あらゆる点において、図示であって制限ではないと見なされたい。したがって、本開示の範囲は、前述の説明ではなく、添付の請求項によって示される。請求項の同等の意図および限界内に留まる全ての変更は、それらの範囲内において包含されるものとする。
【図１】
2013529339.tif 000003
【図２】
2013529339.tif 000004
【図３】
2013529339.tif 000005
【図４】
2013529339.tif 000006
【図５】
2013529339.tif 000007
【国際調査報告】
2013529339.tif 000008
2013529339.tif 000009
2013529339.tif 000010
2013529339.tif 000011
2013529339.tif 000012
2013529339.tif 000013
2013529339.tif 000014
2013529339.tif 000015
2013529339.tif 000016
2013529339.tif 000017
2013529339.tif 000018
2013529339.tif 000019
2013529339.tif 000020
2013529339.tif 000021
2013529339.tif 000022
2013529339.tif 000023
2013529339.tif 000024
2013529339.tif 000025